(57)【要約】【課題】    本発明は、結露した水に発色して、結露した状態を周囲の人に喚起させることができる結露テープを提供する。【解決手段】    結露テープＴは、結露した水を吸収する水吸収層１と、この水吸収層の裏面に積層された粘着剤の層２と、水吸収層１の表面に積層されると共に、水発色インキにより印刷された印刷層３とを備えているものである。【選択図】図５
2010107708.tif 000002
【特許請求の範囲】
【請求項１】
結露した水を吸収する水吸収層と、
この水吸収層の裏面に積層された粘着剤の層と、
前記水吸収層の表面に積層されると共に、水発色インキにより印刷された印刷層と、    を備えていることを特徴とする結露テープ。
【請求項２】
結露した水を吸収する水吸収層と、
この水吸収層の裏面に積層された粘着剤の層と、
前記水吸収層の表面に水発色インキにより印刷を施された印刷部と、
を備えていることを特徴とする結露テープ。  
【請求項３】
結露した水を吸収する水吸収層と、
この水吸収層の裏面を被取り付け面に取り付ける取り付け手段と、
前記水吸収層の表面に積層されると共に、水発色インキにより印刷された印刷層と、    を備えていることを特徴とする結露表示体。
【請求項４】
結露した水を吸収する水吸収層と、
この水吸収層の裏面を被取り付け面に取り付ける取り付け手段と、
前記水吸収層の表面に水発色インキにより印刷が施された印刷部と、
を備えていることを特徴とする結露表示体。
【請求項５】
結露表示体は、結露テープであり、
該結露テープの長手方向が被取り付け面の結露した水の流下方向を横断する方向になるように取り付け手段により取り付けられている
ことを特徴とする請求項３又は請求項４記載の結露表示体。
【請求項６】
表面が水発色インキによる印刷が施されると共に、結露した水を吸収する水吸収層を有する結露表示体を被取り付け面に取り付け、前記被取り付け面に結露した水を前記水吸収層で吸収すると共に、前記水吸収層の水又は、流下する結露した水により、前記水発色インキを発色させる
ことを特徴とする結露表示方法。
【発明の詳細な説明】
【技術分野】
【０００１】
本発明は、結露テープ、結露表示体及び結露表示方法に係り、特に、結露した水に発色して、結露した状態を周囲の人に喚起させることができる結露テープ、結露表示体及び結露表示方法に関する。
【背景技術】
【０００２】
壁面に結露した水を吸収するものとして、結露テープがある。これは、壁面の下部に粘着剤を介して取り付け、壁面に沿って流下する結露した水を吸収するものである。
しかしながら、従来の結露テープは、結露した水を吸収するだけの機能しか有せず、 吸収したか否かは、例えば、結露テープを指で押さえねばならず、利便性が良好でないという問題点があった。
【発明の開示】
【発明が解決しようとする課題】
【０００３】
本発明は、前記した問題点を除去するようにした結露テープ、結露表示体及び結露表示方法を提供することを目的としている。
【課題を解決するための手段】
【０００４】
前記した目的を達成するための請求項１記載の結露テープは、結露した水を吸収する水吸収層と、この水吸収層の裏面に積層された粘着剤の層と、前記水吸収層の表面に積層されると共に、水発色インキにより印刷された印刷層とを備えているものである。
【０００５】
また、請求項２記載の結露テープは、結露した水を吸収する水吸収層と、この水吸収層の裏面に積層された粘着剤の層と、前記水吸収層の表面に水発色インキにより印刷を施された印刷部とを備えているものである。
【０００６】
また、請求項３記載の結露表示体は、結露した水を吸収する水吸収層と、この水吸収層の裏面を被取り付け面に取り付ける取り付け手段と、前記水吸収層の表面に積層されると共に、水発色インキにより印刷された印刷層とを備えているものである。
【０００７】
また、請求項４記載の結露表示体は、結露した水を吸収する水吸収層と、この水吸収層の裏面を被取り付け面に取り付ける取り付け手段と、前記水吸収層の表面に水発色インキにより印刷が施された印刷部とを備えているものである。
【０００８】
また、請求項５記載の結露表示体は、請求項３又は請求項４記載の結露表示体において、結露表示体は、結露テープであり、該結露テープの長手方向が被取り付け面の結露した水の流下方向を横断する方向になるように取り付け手段により取り付けられているものである。
【０００９】
また、請求項６記載の結露表示方法は、表面が水発色インキによる印刷が施されると共に、結露した水を吸収する水吸収層を有する結露表示体を被取り付け面に取り付け、前記被取り付け面に結露した水を前記水吸収層で吸収すると共に、前記水吸収層の水又は、流下する結露した水により、前記水発色インキを発色させるものである。
【発明の効果】
【００１０】
請求項１記載の結露テープによれば、被取り付け面に結露テープを粘着剤の層を介して取り付ければ、結露した水は水吸収層で吸収されると共に、該水吸収層の水又は、被取り付け面を流下する結露した水により、印刷層の水発色インキが発色し、被取り付け面が結露している状態を周囲の人に喚起させることができる。
【００１１】
また、請求項２記載の結露テープによれば、被取り付け面に結露テープを粘着剤の層を介して取り付ければ、結露した水は水吸収層で吸収されると共に、該水吸収層の水又は、被取り付け面を流下する結露した水により、印刷部の水発色インキが発色し、被取り付け面が結露している状態を周囲の人に喚起させることができる。
【００１２】
また、請求項３記載の結露表示体によれば、被取り付け面に結露した水は水吸収層で吸収され、該水吸収層の水又は、流下する結露した水により、印刷層の水発色インキが発色し、被取り付け面が結露している状態を周囲の人に喚起させることができる。
【００１３】
また、請求項５記載の結露表示体によれば、上述した請求項３又は請求項４記載の発明の効果に加え、結露テープは被取り付け面よりの結露した水の流下する方向を横断する方向に取り付け手段により取り付けられているため、結露した水の流下を水吸収層で吸収して防ぎながら、水吸収層の水又は、流下する結露水により、印刷部の水発色インキが発色し、被取り付け面が結露している状態を周囲の人に喚起させることができる。
【００１４】
また、請求項６記載の結露表示方法によれば、被取り付け面に結露した水は水吸収層で吸収され、該水吸収層の水又は、流下する結露した水により、表面の水発色インキが発色し、被取り付け面が結露している状態を周囲の人に喚起させることができる。
【発明を実施するための最良の形態】
【００１５】
本発明の一実施例の結露テープ、結露表示体及び結露表示方法を図面を参照して説明する。
図１乃至図５において、Ｔは結露表示体の一実施例である結露テープで、結露テープＴは、図５に示すように、結露した水を吸収する水吸収層１と、この水吸収層１の裏面に積層された粘着剤の層２と、水吸収層１の表面に積層されると共に、水発色インキにより印刷された印刷層３とを備えている。
水吸収層１は、例えば、不織布で形成されている。また、粘着剤の層２は、結露テープ１の全幅に亘って設けられている。また、印刷層３の水発色インキは、水に濡れると発色し（図４参照）、見えない文字、図柄等がみえ、乾燥すると発色が消失するものである（図３参照）。
なお、現状の水発色インキは、図３に示すように、完全に消失せず、若干透けて見える程度のものである。また、図１に示す５は、粘着剤の層２から離脱する剥離紙である。
【００１６】
結露テープＴは、帯状であり、図２に示すように、結露テープＴの長手方向が被取り付け面４（本実施例では、例えば、窓ガラス）の結露した水の流下方向を横断する方向になるように取り付け手段（例えば、粘着剤の層２）により取り付けられ、結露した水の流下を水吸収層２で吸収して防ぎながら、水吸収層２の水又は、流下する結露した水により、印刷部３の水発色インキが発色し（図４参照）、被取り付け面４が結露している状態を周囲の人に喚起させるようにしている。
【００１７】
従って、剥離紙５を剥いで、被取り付け面４に結露テープＴを粘着剤の層２を介して取り付ければ、結露した水は水吸収層１で吸収されると共に、該水吸収層１の水又は、被取り付け面４を流下する結露した水により、印刷層３の水発色インキが発色し、例えば、図４に示すように、「結露注意」の文字を明瞭化させて、被取り付け面４が結露している状態を周囲の人に喚起させることができる。
【００１８】
また、上述した図１〜図５記載の実施例においては、粘着剤の層２を結露テープ１の全幅に亘って設けたが、本願発明はこれに限らず、例えば、図６に示すように、結露テープＴの上部の部位にのみ粘着剤の層２を設けないようにして、被取り付け面４を流下する結露した水を受け入れ易いようにしても良い。
【００１９】
また、上述した図１〜図５記載の実施例においては、水吸収層１の表面に印刷層３（ベースに印刷を施したもの）を積層したが、本願発明はこれに限らず、例えば、図示しないが、水吸収層１の表面に直接水発色インキにより印刷を施して印刷部を形成しても良い。
【００２０】
また、上述した図１〜図６記載の実施例においては、結露表示体Ｔを結露テープとして説明したが、本願発明はこれに限らず、図７乃至図９記載の結露表示体Ｔでも良い。
図７乃至図９記載の結露表示体Ｔは、上述の実施例と同様、結露した水を吸収する水吸収層１と、この水吸収層１の裏面に積層された粘着剤の層２と、水吸収層１の表面に積層されると共に、水発色インキにより印刷された印刷層３とを備えている。上述の実施例と同様、印刷層３に代え、水吸収層１の表面に直接水発色インキにより印刷を施して印刷部を形成しても良い。
【００２１】
従って、この実施例においても、表面が水発色インキによる印刷が施されると共に、結露した水を吸収する水吸収層１を有する結露表示体Ｔを被取り付け面４に取り付け、被取り付け面４に結露した水を水吸収層１で吸収すると共に、水吸収層１の水又は、流下する結露した水により、水発色インキを発色させる結露表示方法とすることができる。 図９は、発色した状態を示している。
【００２２】
上述した図１〜図９記載の実施例においては、結露表示体Ｔを粘着剤の層２を介して
被取り付け面４に取り付けたが、本願発明は、これに限らず、つまり、粘着剤の層２と異なる他の手段でも良い。
即ち、取り付け手段は、図１０乃至図１２に示すように、被取り付け面４に吸盤２’ａを吸着させて、対となった取付部材２’、２’で結露表示体Ｔを被取り付け面４に取り付けるようにしても良い。
【図面の簡単な説明】
【００２３】
【図１】図１は、本発明の結露表示体の一実施例の結露テープの概略的斜視図である。
【図２】図２は、図１の結露テープの取り付け状態を示す概略的正面図である。
【図３】図３は、結露した水が図２の結露テープに達していない状態を示す概略的正面図である。
【図４】図４は、結露した水が図２の結露テープに達し、水発色インキが発色した状態を示す概略的正面図である。
【図５】図５は、図２の５−５線による概略的断面図である。
【図６】図６は、図５と異なる他の実施例の概略的断面図である。
【図７】図７は、図２と異なる他の結露表示体の概略的正面図である。
【図８】図８は、図７の一部を拡大して示す概略的一部拡大正面図である。
【図９】図９は、図８の９−９線による概略的断面図である。
【図１０】図１０は、図６と異なる他の取り付け手段による実施例の概略的正面図である。
【図１１】図１１は、図１０の１１−１１線による概略的断面図である。
【図１２】図１２は、図１１の取り付け前の状態を示す概略的断面図である。
【符号の説明】
【００２４】
Ｔ    …………結露テープ（結露表示体）
１    …………水吸収層
２    …………粘着剤の層
３    …………印刷層
【図１】
2010107708.tif 000003
【図２】
2010107708.tif 000004
【図３】
2010107708.tif 000005
【図４】
2010107708.tif 000006
【図５】
2010107708.tif 000007
【図６】
2010107708.tif 000008
【図７】
2010107708.tif 000009
【図８】
2010107708.tif 000010
【図９】
2010107708.tif 000011
【図１０】
2010107708.tif 000012
【図１１】
2010107708.tif 000013
【図１２】
2010107708.tif 000014